(57)【要約】      （修正有）【課題】構造が簡単で、手軽に作業できるサイドロープ張りテント天部モジュール構造を提供する。【解決手段】各フレームポールを枢接するトップセット１と、各補助ポストを枢接するボトムセット２とを備え、各補助ポストの他端はフレームポールに枢接されるサイドロープ張りテント天部モジュール構造であり、トップセットはボトムセットにロープ３を介して連結され、ロープの一端はトップセットに固定され、自由端はボトムセット内の滑車を経てボトムセットの側壁から伸出する。テントの展開時には、ボトムセットは補助ポストとフレームポールとの枢接点の水平線以上に位置し、ロープに下向きに力を付与し、トップセット上に固定されているロープは滑車を介して、ボトムセットをトップセットに対して上向きに移動させる。同時にロープでトップセットとボトムセットを規制し、位置固定を実現する。【選択図】図２
0003211485.tif 000002
【実用新案登録請求の範囲】
【請求項１】
各フレームポールを枢接するトップセットと、各補助ポストを枢接するボトムセットとを備えており、各補助ポストの他端はフレームポールに枢接されているサイドロープ張りテント天部モジュール構造であって、
前記トップセットはボトムセットにロープを介して共に連結されており、このロープの固定端はトップセットに固定するものであり、自由端はボトムセット内に設けられた滑車を経てボトムセットの側壁から伸出して使用者が力を付与するのに供されており、テントを展開するときには、ボトムセットは補助ポストとフレームポールとの枢接点の水平線以上に位置する、ことを特徴とするサイドロープ張りテント天部モジュール構造。
【請求項２】
前記トップセットの上部には、フレームポールを枢接するための枢接溝が放射線状に設けられており、各枢接溝の上端にはストッパ面が形成されており、トップセットの中央部には突起部が下向きに形成されている、ことを特徴とする請求項１に記載のサイドロープ張りテント天部モジュール構造。
【請求項３】
前記ボトムセットの上部には、補助ポストを枢接するための枢接溝が放射線状に設けられており、各枢接溝の下端にはストッパ面が形成されており、ボトムセットの中央部にはトップセットの突起部を収容するためのソケットが上向きに形成されている、ことを特徴とする請求項２に記載のサイドロープ張りテント天部モジュール構造。
【請求項４】
前記ボトムセットには取っ手が設けられている、ことを特徴とする請求項１、２又は３に記載のサイドロープ張りテント天部モジュール構造。
【請求項５】
前記ボトムセットの各枢接溝の下部の側壁上には、ボトムセット中央部の内部空間に連通する貫通穴が形成されており、そして滑車がこの貫通穴の位置に対応してボトムセットの中央部内部空間内に横向きに置かれている、ことを特徴とする請求項３に記載のサイドロープ張りテント天部モジュール構造。
【請求項６】
前記滑車が並列で二つ又は複数個設けられている、ことを特徴とする請求項１又は５に記載のサイドロープ張りテント天部モジュール構造。
【請求項７】
前記貫通孔の個数が滑車の設置数に対応して設けられている、ことを特徴とする請求項５に記載のサイドロープ張りテント天部モジュール構造。
【請求項８】
前記ロープの本数が滑車の設置数に対応して設けられている、ことを特徴とする請求項１に記載のサイドロープ張りテント天部モジュール構造。
【考案の詳細な説明】
【技術分野】
【０００１】
本考案はテントに関し、具体的にはテント天部でポールを枢接するサイドロープ張りテント天部モジュール構造に関する。
【背景技術】
【０００２】
通常、テントは主に天幕シートと、天幕シートを支持するためのフレームとを備えており、フレームは天部モジュールから複数のポールが放射線状に枢接されて構成されており、該天部モジュールは、トップセット及びボトムと、トップセット中央部に成形されている支持ポストとを含む。各ポールの上端部はトップセットに共同に枢接されており、各々のポールの下方には補助ポストが各々設けられており、しかも各補助ポストの上端部はボトムセット上に共同に枢接されており、ボトムセットはトップセットの支持ポストに被せるように設けられるとともに上下移動し、固定機構を組合わせることでテントの展開及び折畳みを実現する。
【考案の概要】
【考案が解決しようとする課題】
【０００３】
しかしながら、このような構造のテント天部モジュールは、テントの展開をしやすくするために、モジュール中の自動展開する弾発機構を設けなければならないため、モジュール機構が複雑になってしまい、コストが高止まってしまう。もし手作業でテントの展開・折畳みを実現すると、使用者の力への要求は大きくなり、力の弱い女性にとってはテントの展開・折畳み作業を行うのは難しくなってしまう。本願はこれに鑑みて考案された。
【０００４】
よって、本考案の目的は、構造が簡単で、手軽に作業できるサイドロープ張りテント天部モジュール構造を提供するところにある。
【課題を解決するための手段】
【０００５】
上記目的を達成するために、本考案の解決方法は以下の通りである。
【０００６】
各フレームポールを枢接するトップセットと、各補助ポストを枢接するボトムセットとを備えており、各補助ポストの他端はフレームポールに枢接されているサイドロープ張りテント天部モジュール構造であって、トップセットはボトムセットにロープを介して共に連結されており、このロープの固定端はトップセットに固定するものであり、自由端はボトムセット内に設けられた滑車を経てボトムセットの側壁から伸出して使用者が力を付与するのに供されており、テントを展開するときには、ボトムセットは補助ポストとフレームポールとの枢接点の水平線以上に位置する。
【０００７】
トップセットの上部には、フレームポールを枢接するための枢接溝が放射線状に設けられており、各枢接溝の上端にはストッパ面が形成されており、トップセットの中央部には突起部が下向きに形成されている。
【０００８】
ボトムセットの上部には、補助ポストを枢接するための枢接溝が放射線状に設けられており、各枢接溝の下端にはストッパ面が形成されており、ボトムセットの中央部にはトップセットの突起部を収容するためのソケットが上向きに形成されている。
【０００９】
ボトムセットには取っ手が設けられている。
【００１０】
ボトムセットの各枢接溝の下部の側壁上には、ボトムセット中央部の内部空間に連通する貫通穴が形成されており、そして滑車がこの貫通穴の位置に対応してボトムセットの中央部内部空間内に横向きに置かれている。
【００１１】
滑車が並列で二つ又は複数個設けられている。
【００１２】
貫通孔の個数が滑車の設置数に対応して設けられている。
【００１３】
ロープの本数が滑車の設置数に対応して設けられている。
【００１４】
上記手法を採用することで、本考案は以下のような特徴を備える。
【００１５】
１，手軽に作業できる。本考案のテント天部モジュール構造では、トップセット上に固定されているロープはボトムセット上の滑車に対応して設けられることで、ボトムセットをトップセットに対して上向きに移動させるように引き動かして、テントの展開動作を実現することができ、ロープに対しては下向きに力を付与するということで、従来のように上向きに力を付与してテントを展開する力の要求に対して力を大幅に低減して、テントの展開作業がより手軽になる。
【００１６】
２，構造が簡単。本考案のモジュールでは、ロープでトップセット及びボトムセットを規制するとともに、天幕シートがフレームに付与する力を合わせることで位置固定を実現し、別途位置固定機構を設ける必要がないため、モジュール全体の構造がより簡素化できる。
【図面の簡単な説明】
【００１７】
【図１】本考案の立体分解概略図である。
【図２】本考案の立体組付け概略図である。
【図３】本考案の組付け断面概略図である。
【図４】本考案をフレームに実施した折畳み状態の概略図である。
【図５】本考案をフレームに実施した展開状態の概略図である。
【図６】本考案をフレームに実施した展開状態の概略図である。
【考案を実施するための形態】
【００１８】
図１ないし図６に示すように、本考案はサイドロープ張りテント天部モジュール構造を開示しており、各フレームポールＡを枢接するトップセット１と、各補助ポストＢを枢接するボトムセット２とを備えており、各補助ポストＢの他端はフレームポールＡに枢接される。
【００１９】
本考案の要点は下記にある：トップセット１はボトムセット２にロープ３を介して共に連結されており、このロープ３の固定端はトップセット１に固定するものであり、自由端はボトムセット２内に設けられた滑車４を経てボトムセット２の側壁から伸出して使用者が力を付与するのに供される。テントを展開するときには、ボトムセット２は補助ポストＢとフレームポールＡとの枢接点Ｃの水平線以上に位置する。
【００２０】
トップセット１の上部には、フレームポールＡを枢接するための枢接溝１１が放射線状に設けられており、各枢接溝１１の上端にはストッパ面１２が形成されているが、この実施例において、フレームポールＡはジョイントＡ１が枢接溝１１内に枢接している。またトップセット１の中央部には突起部１３が下向きに形成されている。
【００２１】
ボトムセット２の上部には、補助ポストＢを枢接するための枢接溝２１が放射線状に設けられており、各枢接溝２１の下端にはストッパ面２２が形成されているが、この実施例において、補助ポストＢはジョイントＢ１が枢接溝２１内に枢接している。ボトムセット２の中央部にはソケット２３が上向きに形成されており、このソケット２３の内部空間は上記トップセット１の突起部１３を収容するのに適している。またボトムセット２の各枢接溝２１下部には取っ手２４が設けられており、この取っ手２４はボトムセット２と一体化した構造としても、分割できる構造としてもよい。同時にボトムセット２の各枢接溝２１の下部の側壁上には、ボトムセット２中央部の内部空間に連通する貫通穴２５が形成されており、そして滑車４はこの貫通穴２５の位置に対応してボトムセット２の中央部内部空間内に横向きに置かれている。ボトムセット２のトップセット１に対しての移動経路を保証するために、この滑車４はボトムセット２の中央部に設けられており、更にボトムセット２のトップセット１に対しての動作の安定性を保証するために、この滑車４は並列で二つ又は複数個設けることができ、そして貫通穴２５の個数は滑車４の設置数に対応して設けることができるものであって、この実施例における滑車４は二個設けられ、貫通穴２５も二個設けられている。
【００２２】
ロープ３の本数もまた滑車４の設置数に対応して設けてもよい。この実施例において、二個の滑車４に対応して二本のロープ３が設けられており、この二本のロープ３は一本のロープからなり、その折り返した中央部はトップセット１に固定されている突起部１３に固定されており、二つの自由端がそれぞれ滑車４を経た後それぞれ二つの貫通穴２５から貫出している。
【００２３】
図４を合せて見ると、テントが折畳み状態にあるとき、ボトムセット２はテント下部にあり、トップセット１はボトムセット２にロープ３により規制される。
【００２４】
図５、６に示すように、テントを展開するように操作したとき、作業者がロープ３の自由端をボトムセット２に対して下向きに引っ張るように力を付与すると、ボトムセット２がトップセット１に対して移動するように引き動かされて、これと同時に、ボトムセット２の位置がちょうど補助ポストＢとフレームポールＡとの枢接点Ｃが水平線を越えるまで、ボトムセット２は補助ポストＢがフレームポールＡを開くように連動して、天幕シートがフレームの張力作用を受けるが、このときのボトムセット２は位置固定されて自ら下方に移動することがなくなることで、テントの展開機能を実現し、そしてボトムセット２のソケット２３とトップセット１の突起部１３との嵌め合いにより、モジュール全体はより安定的に確実に固定される。
【００２５】
図６に示すように、テントを展開するとき、補助ポストＢと、補助ポストＢとフレームポールＡとの枢接点Ｃの水平線との夾角ａの角度は１０度であるのが好ましい。
【００２６】
反対に、テントを折り畳む必要があるとき、作業者はボトムセット２の取っ手２４を握ってボトムセット２を下方に引き動かすだけで、天幕シートのフレームに対する張力に抗して、ボトムセット２が補助ポストＢとフレームポールＡとの枢接点Ｃの水平線を越えた後、テントは自動的に折り畳まることが可能となり、手間も力も省ける。
【００２７】
これから分かるように、本考案のテント天部モジュール構造では、トップセット１上に固定されているロープ３はボトムセット２上の滑車４に対応して設けられることで、ボトムセット２をトップセット１に対して上向きに移動させるように引き動かして、テントの展開動作を実現することができ、ロープ３に対しては下向きに力を付与するということで、従来のように上向きに力を付与してテントを展開する力の要求に対して力を大幅に低減して、テントの展開作業がより手軽になる。同時にロープ３でトップセット１及びボトムセット２を規制するとともに、天幕シートがフレームに付与する力を合わせることで位置固定を実現し、別途位置固定機構を設ける必要がないため、モジュール全体の構造がより簡素化できる。
【符号の説明】
【００２８】
Ａ        フレームポール
Ｂ        補助ポスト
Ｂ１      ジョイント
Ｃ        枢接点
ａ        夾角
１        トップセット
１１      枢接溝
１２      ストッパ面
１３      突起部
２        ボトムセット
２１      枢接溝
２２      ストッパ面
２３      ソケット部
２４      取っ手
２５      貫通穴
３        ロープ
４        滑車
【図１】
0003211485.tif 000003
【図２】
0003211485.tif 000004
【図３】
0003211485.tif 000005
【図４】
0003211485.tif 000006
【図５】
0003211485.tif 000007
【図６】
0003211485.tif 000008